(57)【要約】      （修正有）【課題】簡易な構成で動画撮影時の撮像装置内の温度上昇を抑制することを可能にした撮像装置を提供すること。【解決手段】撮像装置は、撮像素子２５と、回転駆動を行うモーター２０１と、シャッター羽根２０７により撮像素子への光束の遮光を行うシャッター２４と、空気を循環させるファン２２１と、モーターの駆動による回転の伝達経路を切替える伝達切替え手段と、伝達切替え手段により選択されモーターの回転が伝達されシャッターを駆動させるシャッター駆動部と、伝達切替え手段により選択されモーターの回転が伝達されファンを駆動させるファン駆動部と、シャッター駆動部の動作を制御するシャッター制御手段と、撮像素子により連続動画を撮影する動画撮影モードを有し、動画撮影モードでは伝達切替え手段がモーターの回転の伝達経路をファン駆動部側に切替え、動画撮影モード以外ではモーターの回転の伝達経路をシャッター駆動部側に切替える。【選択図】図２
2019074576.tif 000002
【特許請求の範囲】
【請求項１】
撮影レンズと、
前記撮影レンズの光束が結像する位置に配置され光電変換により画像データを取得する撮像素子と、
回転駆動を行うモーターと、
シャッター羽根により前記撮像素子への光束の遮光を行うシャッターと、
空気を循環させるファンと、
前記モーターの駆動による回転の伝達経路を切替える伝達切替え手段と、
前記伝達切替え手段により選択され前記モーターの回転が伝達され前記シャッターを駆動させるシャッター駆動部と、
前記伝達切替え手段により選択され前記モーターの回転が伝達され前記ファンを駆動させるファン駆動部と、
前記シャッター駆動部の動作を制御するシャッター制御手段と、
前記撮像素子により連続動画を撮影する動画撮影モードと、
を有し、動画撮影モードでは前記伝達切替え手段が前記モーターの回転の伝達経路を前記ファン駆動部側に切替え、動画撮影モード以外では前記モーターの回転の伝達経路を前記シャッター駆動部側に切替えることを特徴とする撮像装置。
【請求項２】
前記伝達切替え手段が、前記モーターの回転を伝達する太陽ギアと、前記太陽ギアの回転伝達を受け移動する遊星ギアと、前記遊星ギアを軸支し前記太陽ギア回転軸を中心に回動する遊星アームと、前記モーターが正転時に遊星ギアと噛合し前記シャッター駆動部に回転を伝達する第１のギアと、前記モーターが逆転時に遊星ギアと噛合し前記ファン駆動部に回転を伝達する第２のギアと、で構成されていることを特徴とする請求項１に記載の撮像装置。
【請求項３】
前記撮像装置の外装に配され装置内外の空気の循環を行うための空孔と、前記空孔の開閉を行い前記遊星アームの回動中に前記遊星アームとその一部が当接する空孔蓋と、を有し、前記モーターが逆転し前記遊星ギアが前記第１のギアとの噛合位置から前記第２のギアとの噛合位置に移動中に遊星アームを介して前記空孔蓋と当接して前記空孔を開にし、前記モーターが逆回転し前記遊星ギアが前記第２のギアから前記第１のギアに移動中に前記空孔を閉にすることを特徴とする請求項２に記載の撮像装置。
【請求項４】
前記遊星アームの回動位置を検出する位置検出手段を有し、前記動画撮影モードへの切り替わった際は、前記遊星アームが遊星ギアと第２のギアが噛合する位置に移動したと前記位置検出手段が判断してから動画撮影動作の開始を許可する動画撮影開始制御手段を有することを特徴とする請求項２又は請求項３に記載の撮像装置
【請求項５】
前記撮像装置内の温度を検出する温度検出手段を有し、前記温度検出手段により撮像装置内の温度が所定以上の場合は前記モーターを逆転させ前記ファンを駆動させることを特徴とする請求項２乃至請求項４の何れか一項に記載の撮像装置。
【請求項６】
前記撮像装置の外装に配された動画撮影モードとその他の撮影モードを切り替える撮影モード切替えスイッチを有し、前記伝達切替え手段が前記撮影モード切替えスイッチと連結され、前記撮影モード切替えスイッチの動作に連動して前記モーターの回転の伝達を切り替えることを特徴とする請求項１乃至請求項５の何れか一項に記載の撮像装置。
【請求項７】
前記撮像装置の外装に配され装置内の空気の循環を行う空孔と、前記空孔の開閉を行い前記遊星アームの回動中に一部が当接する空孔蓋と、を有し、前記モード切替えスイッチが前記空孔蓋を兼ねることを特徴とする請求項１乃至請求項６の何れか一項に記載の撮像装置。
【発明の詳細な説明】
【技術分野】
【０００１】
本発明は、静止画及び動画撮影を行うことが可能な撮像装置に関する。
【背景技術】
【０００２】
従来、静止画撮影以外に動画撮影を行うことが可能なデジタルカメラがある。しかし、デジタルカメラの高性能化、小型化により、撮影動作中の撮像素子及び電子回路の温度上昇が問題となっている。カメラボディ内にファンを配し空気を循環させることで、カメラボディ内の温度上昇を防ぐことが提案されているが、ファンの駆動用に専用のアクチュエータを取り付けることはスペース及びコストの面で課題がある。
【０００３】
そこで、特許文献１及び特許文献２には、光学系調整用のモーターを用いてカメラボディ内に配されたファンを駆動させることが提案されている。
【先行技術文献】
【特許文献】
【０００４】
【特許文献１】特開平４−２７９０６号公報
【特許文献２】特開２００９−１８６５４５号公報
【発明の概要】
【発明が解決しようとする課題】
【０００５】
しかしながら、上述の特許文献１、２に開示された従来技術では、以下のような問題がある。特許文献１のカメラでは、ズーム駆動モーターの軸の一端にファンを取り付けて対流を発生させているが、撮影中に温度上昇の為ファンを駆動させようとすると、ズーム状態も一緒に変化してしまい、撮影者の意図通りの撮影ができなくなる。
【０００６】
また、特許文献２のカメラではモーター出力の伝達部に切替機構を有し、モーター出力をレンズ移動機構側とファン回転側に切替えて動かすことができる。しかし、この構成ではファン駆動中にズームまたはフォーカスの状態を変化させることができない。
【０００７】
そこで、本発明の目的は、簡易な構成で撮像装置内の温度上昇を抑制すると共に操作性を向上した撮像装置を実現することにある。
【課題を解決するための手段】
【０００８】
上記の目的を達成するために、本発明に係る撮像装置は、
撮影レンズと、
前記撮影レンズの光束が結像する位置に配置され光電変換により画像データを取得する撮像素子と、
回転駆動を行うモーターと、
シャッター羽根により前記撮像素子への光束の遮光を行うシャッターと、空気を循環させるファンと、
前記モーターの駆動による回転の伝達経路を切替える伝達切替え手段と、
前記伝達切替え手段により選択され前記モーターの回転が伝達され前記シャッターを駆動させるシャッター駆動部と、
前記伝達切替え手段により選択され前記モーターの回転が伝達され前記ファンを駆動させるファン駆動部と、
前記シャッター駆動部の動作を制御するシャッター制御手段と、
前記撮像素子により連続動画を撮影する動画撮影モードと、
を有し、動画撮影モードでは前記伝達切替え手段が前記モーターの回転の伝達経路を前記ファン駆動部側に切替え、動画撮影モード以外では前記モーターの回転の伝達経路を前記シャッター駆動部側に切替えることを特徴とする。
【発明の効果】
【０００９】
本発明に係る撮像装置によれば、簡易な構成で動画撮影時の撮像装置内の温度上昇を抑制することができる。
【図面の簡単な説明】
【００１０】
【図１】第１の実施例における伝達切替え部周りを説明する斜視図及び正面図
【図２】第１の実施例におけるカメラシステムを説明する断面図
【図３】第１の実施例におけるカメラシステムを説明するブロック図
【図４】第１の実施例における伝達切替え部を含むシャッターユニットの構成を説明する模式図
【図５】第１の実施例における伝達切替え動作のタイミングを説明するタイミングチャート
【図６】第１の実施例における伝達切替えの制御フローを説明するフローチャート
【図７】その他の構成における伝達切替え部周りを説明する斜視図及び正面図
【発明を実施するための形態】
【００１１】
以下に、本発明の好ましい実施の形態を、添付の図面に基づいて詳細に説明する。
【実施例１】
【００１２】
以下、図１から図６を参照して、本発明の第１の実施例による撮像装置について説明する。
【００１３】
図２は本発明における撮像装置であるデジタル一眼レフカメラの断面図を示している。
【００１４】
図２において、１は交換可能な撮影レンズを、２はカメラボディを示しており、１０はレンズの光軸を、１１は撮影光学系を、１２はレンズ側の制御部であるレンズシステム制御部を、１３は撮影光学系を調整するレンズ駆動部を示している。
【００１５】
２２ａ、２２ｂはクイックリターンミラーユニットを示しており、光軸１０を通る光束の一部はメインミラー２２ａの中央に配されたハーフミラー部を通過して、サブミラー２２ｂで反射したのちＡＦセンサ２７に導かれる。ＡＦセンサ２７で受光した光束の情報を用いて、被写体の焦点検出が行われる。一方、メインミラー２２ａで反射した一部の光束はファインダ光学系に含まれるピント板２８位置に結像し、その光学像がペンタプリズム２９及び接眼光学系３０を通過し、撮影者の瞳に導かれる。また、ピント板２８に結像した光学像の光量を不図示のＡＥセンサで検出することで、撮影レンズ１を通過した光束の光量を検出する。メインミラー２２ａとサブミラー２２ｂとでクイックリターンミラーユニット２２を構成する。
【００１６】
２４はフォーカルプレーンシャッターユニット（以下、シャッター）を、２５は撮像素子を示している。図２の状態からクイックリターンミラーユニット２２がアップ状態に駆動してメインミラー２２ａとサブミラー２２ｂが光軸１０から退避した時、光束は撮像素子２５の位置に集光する。撮像素子２５に集光した光束は光電変化が行われ画像の信号として電気回路に送られ画像表示部２６に表示される。シャッター２４はシャッター羽根２０７を駆動して光束を遮光することで、光束が撮像素子２５で受光されるタイミング及び露光時間を調整する。不図示のレリーズ釦が押下されることで、ＡＦセンサ、ＡＥセンサでの検出動作、及びクイックリターンユニット２２の退避駆動とシャッター２４の駆動が行われる。モーター２０１はギアユニット２０２に回転を伝達し、後述する伝達切り替え手段を介してシャッター２４またはファン２２１が駆動される。また、３３はカメラボディ２の外装を示しており、上記の部品を収納している。
【００１７】
図３は本発明におけるデジタル一眼レフカメラの構成を示すブロック図である。図２と同じ機能を有するものについては同じ番号を付した。
【００１８】
図３において、レンズシステム制御部１２は電気接点３２を介してカメラボディ２と通信が行われる。レンズシステム制御部１２はカメラボディ２との相互の通信及び、レンズ駆動部１３への駆動命令を行う。
【００１９】
カメラシステム制御部２１はＣＰＵ（中央演算処理装置）等を備え、レンズ１及びカメラボディ２の制御を統括する。カメラシステム制御部２１は、撮像の際のタイミング信号等を生成して各部に出力する。カメラシステム制御部２１は、操作部４３を介して操作指示を受け付けた場合、該指示に応じてモーター２０１、シャッター制御部４４、撮像素子２５の制御及び、レンズシステム制御部１２へ命令信号を送信する。また、操作部４３にはカメラの撮影モードを切り替える撮影モード切替え部があり、静止画撮影モードと動画撮影モードに切り替える。
【００２０】
クイックリターンミラーユニット２２及びシャッター２４のシャッター羽根２０７が光軸から退避時に、撮像素子２５で受光した光に対し光電変換が行われ、不図示のＡ／Ｄ変換器により光電変換出力に対し量子化処理が行われる。画像処理部４１は、内部にホワイトバランス回路、ガンマ補正回路、補間演算回路等を有しており、カメラシステム制御部２１の命令を受けて、撮像素子２５から取得した信号から画像データを生成する。画像処理部４１で生成されたデータは、メモリ部で記憶される。
【００２１】
モーター２０１はカメラシステム制御部２１からの命令に応じて、正転または逆転の回転を行い、回転伝達部であるギアユニット２０２に回転を伝達する。ギアユニット２０２内の伝達切替え手段である伝達切替え部４６は、モーター２０１の回転方向に合わせてモーターからの回転伝達をシャッターチャージ部４５とファン駆動部４７の間で伝達を切り替える。このシャッターチャージ部４５がシャッター駆動部にあたる。回転伝達を受けたシャッターチャージ部４５は、シャッターカムを回転しシャッター幕２０７をチャージした後、シャッター制御手段であるシャッター制御部４４からの命令でシャッター幕２０７を走行させ、撮像素子２５での受光を制御する。一方、ファン駆動部４７は回転伝達を受けると、ファン２２１を回転させて、放熱のための空気の循環を行う。次に、図４を用いて本発明の要部であるモーター２０１および伝達切替え部４６、シャッターチャージ部４５の詳細な動作について説明する。
【００２２】
図４はカメラボディ２に含まれるカメラの伝達切替え手段である伝達切替え部４６、シャッターユニット２４およびファン２２１周りの構成を示す模式図である。図４（ａ）は図２のＺ軸の液晶表示部２６側から見た正面図であり、図４（ｂ）はその反対側からみたシャッターカム２０４およびシャッター羽根周りの模式図であり、図４（ｃ）はシャッターカム及びチャージレバー周りの斜視図である。なお、説明のために関係のない部品は省略している。
【００２３】
シャッター地板２１２には、以下に説明するモーター２０１、ギアユニット２０２、シャッターチャージ部が取り付けられており、撮像素子２５への光束を通過させるシャッター開口２１２ａが開いている。モーター２０１はギアユニット２０２に回転を伝達する。モーター２０１は図４（ａ）における時計まわりの回転を正転、反時計回りを逆転とする。モーター２０１の回転軸に軸支されたピニオンギア２０２ａは噛合するギア２０２ｂを介して太陽ギア２０２ｃに回転を伝達する。
【００２４】
太陽ギア２０２ｃは回転軸が一致する遊星ギアアーム２０３に軸支された遊星ギア２０２ｄと噛合されている。太陽ギア２０２ｃの回転方向により遊星ギアアーム２０３が回転し、シャッターチャージ部側に伝達する第１のギアであるギア２０２ｅ、またはファン駆動部側に伝達する第２のギアであるギア２０２ｉに回転を伝達する。この太陽ギア２０２ｃ、遊星ギア２０２ｄ、遊星ギアアーム２０３が伝達切替え部４６にあたる。太陽ギア２０２ｃの回転方向と遊星ギアアーム２０３の動作については後述する。遊星ギア２０２ｄがギア２０２ｅと噛合する際、ギア２０２ｅの回転がギア２０２ｆ、２０２ｇを介してシャッターカム２０４に伝えられる。
【００２５】
図４（ｂ）に示すようにシャッターカム２０４は図４（ｂ）のＺ軸方向にずれた位置に２か所のカム部を有しており、それぞれのカム部は先幕チャージレバー２０５ａ、後幕チャージレバー２０５ｂに配されたコロ２１１ａ、２１１ｂと当接する。シャッターカム部はさらにカム上面部２０４ａ、２０４ｂを有しており、シャッターカム２０４が回転しカム上面部２０４ａ、２０４ｂにコロ２１１ａ、２１１ｂが乗り上げた状態になると、チャージレバー２０５ａ、２０５ｂが回転させられる。この状態をチャージ状態と呼ぶ。
【００２６】
図４（ｃ）はシャッターカム２０４と先幕チャージレバー２０５ａ及びコロ２１１ａのみを示した斜視図であり、コロ２１１ａがカム上面部２０４ａに乗り上げた状態を示している。先幕チャージレバー２０５ａは、２枚の先幕シャッター羽根２０７ａと係合されリンク機構を成す二つのシャッターアーム２０６ａに係合され、先幕チャージレバー２０５ａが回転することで、先幕シャッター羽根２０７ａは上下に移動する。先幕チャージレバー２０５ａには、吸着機構の一部であり磁性体である吸着体２０９ａとチャージレバー２０５ａを図４（ｂ）における反時計回りに回転付勢するチャージばね２１０ａが配されている。
【００２７】
シャッターカム２０４により先幕チャージレバー２０５ａを時計回りに回転しチャージ状態にすることで、吸着体２０９ａは吸着機構の一部である電磁石２０８ａと接触する。電磁石２０８ａがシャッター制御部４４により通電されている場合は、電磁石２０８ａと吸着体２０９ａが磁力により吸着する。これを吸着機構の吸着状態と呼び、電磁石２０８ａの通電が切られている時を解放状態と呼ぶ。吸着状態においてシャッターカム２０４がさらに回転しコロ２１１ａがシャッター２０４のカム上面部２０４ａから下った場合、電磁石の吸着力により先幕チャージばね２１０ａの回転付勢力を受けても先幕チャージレバー２０５ａの回転を係止する。
【００２８】
一方、この状態で電磁石２０８ａの通電が切られると、先幕吸着機構は解放状態となり、先幕チャージレバー２０５ａは先幕チャージばね２１０ａの付勢力により図４（ｂ）反時計回りに回転する。そして、先幕チャージレバー２０５ａに先幕シャッターアーム２０６ａを介して配された先幕シャッター羽根２０７ａが下面方向に走行する。同様に、後幕チャージレバー２０５ｂには後幕シャッター羽根２０７ｂが係合するシャッターアーム２０６ｂが係合され、吸着体２０９ｂ、チャージばね２１０ｂが配されている。図４（ｂ）においては、シャッターカム２０４のカム部２０４ｂにより後幕チャージレバー２０５ｂが時計回りに回転した状態で係止され、電磁石２０８ｂと吸着体２０９ｂが接触している状態を示している。ギア２０２ｅからチャージレバー２０５および電磁石２０８までがシャッターチャージ部にあたる。シャッター羽根２０７ａ、２０７ｂを上下に移動させることで、シャッター開口２１２での撮像素子２５への光線の露光及び遮光を制御する。
【００２９】
撮影モードが静止画撮影モードの時は、チャージ状態から先幕及び後幕の吸着機構を順に解放状態にすることで、先幕シャッター羽根２０７ａ、後幕シャッター羽根２０７ｂの順で走行させて露光時間の制御を行う。
【００３０】
一方、遊星ギア２０２ｄがギア２０２ｉと噛合する時、ギア２０２ｉの回転がファン駆動ギア２０２ｈに伝達され、ファン２２１が回転し空気の対流を発生させ循環を行う。また、図４（ａ）に一部が示された外装３３には、カメラボディ２内外の空気の循環を行う空孔であるスリット部３３ａとスリット蓋２２２のストッパ部３３ｂを有している。さらに、外装３３にはスリット部３３ａの開閉を行う空孔蓋であり、開口部２２２ｂを有するスリット蓋２２２が外装３３の外側に配されている。
【００３１】
次に、図１を用いて伝達切替え部の詳細について述べる。
【００３２】
図１は伝達切替え部周りを説明する模式図であり、図１（ａ）は、伝達切替え部周りの斜視図を、図１（ｂ）は遊星ギア２０２ｄがギア２０２ｅと噛合している状態の正面図を、図１（ｃ）は遊星ギアアーム２０３が回動中の状態の正面図を、図１（ｄ）は遊星ギア２０２ｄがファン駆動ギア２０２ｈと噛合している状態の正面図を示している。
【００３３】
図１（ａ）に示すように、遊星ギアアーム２０３の軸２０３ａには遊星ギア２０２ｄが軸支されており、軸２０３ｂには太陽ギア２０２ｃが軸支されている。また、遊星ギアアーム２０３にはスリット蓋２２２の開閉を行うためのラック部２２２ａが設けられている。また、ファン駆動ギア２０２ｈと同軸にファン２２１が配され、ファン駆動ギア２０２ｈに回転が伝達されると、ファン２２１も回転する。
【００３４】
ギア２０２ｉを軸支するクラッチギア軸２２６には、同軸にクラッチギア２０２ｊが軸支されており、クラッチばね２２５により矢印５０方向に付勢されることでギア２０２ｉとクラッチギア２０２ｊは当接する。クラッチギア２０２ｊはスリット蓋２２２のラック部２２２ａと噛合し、スリット蓋の開閉を行う。クラッチギア２０２ｈは摩擦クラッチ機構をとっており、通常はクラッチばね２２５の付勢力されることでギア２０２ｉとの摩擦力により、ギア２０２ｉの回転が伝達され一緒に。しかし、噛合するスリット蓋２２２のラック部２２２ａから所定以上のトルクを受けてギア２０２ｉとの静止摩擦力を超えると、クラッチギア２０２ｊは空転する。つまり、ギア２０２ｉが回転しても、クラッチギア２０２ｊは回転をしなくなる。
【００３５】
次に、伝達切替え動作及びスリット蓋２２２の開閉動作について説明する。
【００３６】
図１（ｂ）に示すように、遊星ギア２０２ｄがギア２０２ｅと噛合している状態において、スリット蓋２２２は付勢ばね２２４により矢印５１方向に付勢力を受け、外装３３に配されたスリット部３３ａを閉じた状態にしている。この状態からモーターが逆転の回転をすると太陽ギア２０２ｃは時計回りに回転し、遊星アーム２０３は太陽ギア２０２ｃの回転軸を中心に矢印５２方向に回転を始め、図１（ｃ）で示す状態になる。
【００３７】
図１（ｃ）に示すように、遊星ギアアーム２０３が回転し、遊星ギア２０２ｄがギア２０２ｈと噛合している状態である。この状態からさらに太陽ギア２０２ｃが回転することで、ギア２０２ｉがファン駆動ギア２０２ｈに回転を伝達し、ファン２２１を回転させる。一方、ギア２０２ｉの回転はクラッチギア２０２ｊにも伝達され、ラック部２２２ａを介してスリット蓋２２２を矢印５３方向に移動させる。
【００３８】
そして、図１（ｄ）に示すようにスリット蓋２２２は外装３３のストッパ部３３ｂと当接する位置まで移動し、スリット蓋２２２の開口部２２２ｂがスリット部３３ａと一致することでスリット部３３ａ開いた状態になる。図１（ｄ）の状態からさらに太陽ギアが回転すると、スリット蓋２２２はストッパ部３３ｂと当接するため、ラック部２２２ｂを介してクラッチギア２０２ｊはトルクを受け、ギア２０２ｉの回転に対し空転する。
【００３９】
一方で、ファン駆動ギア２０２ｈは回転を続けるのでファン２２１は駆動される。その結果、ファン２２１によりカメラボディ２内の空気の循環が発生し、さらにスリット部３３ａが開状態にあるため、カメラボディ２内の空気を外気と循環することができる。よって、カメラボディ２内の温度の上昇を低減することができる。図１（ｄ）の状態からモーターが正転の回転をすると太陽ギア２０２ｃは反時計回りに回転し、遊星ギアアーム２０３は先ほどと逆の動作を行い図１（ｂ）の状態に至る。スリット蓋２２２は付勢ばね２２４により矢印５１方向に付勢されているので、クラッチギア２０２ｊ及びギア２０２ｈを回転させながら、図１（ｂ）の状態に移動する。ファン２２１が駆動しないときは、スリット蓋２２２によりスリット部３３ａが閉じられた状態にあるので、スリット部３３ａからの塵の侵入を防ぐことができる。
【００４０】
次に図５を用いて、伝達切り替え部の動作を含む撮影動作のシーケンスについて説明する。
【００４１】
図５は動画及び静止画の撮影動作を説明するタイミングチャートであり、それぞれモーター２０１、シャッターカム２０４、先幕の吸着機構、先幕シャッター羽根２０７ａ、後幕の吸着機構、後幕シャッター羽根２０７ｂ、シャッター開口２１２ａ、撮像素子２５、ファン２２１及びスリット部３３ａの動作を示している。また、各時間のタイミングをＴ１〜１６で示す。なお、本実施例におけるカメラは動画撮影モードにおいてレリーズ釦を押下されると、動画撮影を停止し、静止画撮影が行えるシステムをとっている。
【００４２】
Ｔ１でカメラが起動した状態では、伝達切り替え部は図１（ｂ）に示すように遊星ギア２０２ｄがギア２０２ｅに噛合した状態である。そして、シャッターチャージ部はチャージレバー２０５ａ，２０５ｂのコロ２１１ａ、２１１ｂがシャッターカム２０４のカム上面部２０４ａ、２０４ｂに乗り上げたチャージ状態にある。つまり、電磁石２０８ａ、２０８ｂと吸着体２０９ａ、２０９ｂがそれぞれ当接している状態にある。Ｔ２で撮影モードが動画撮影モードに設定されると、Ｔ２において先幕吸着機構及び後幕吸着機構のそれぞれの電磁石２０８ａ、２０８ｂに通電が行われ、吸着体２０９ａ、２０９ｂを吸着している状態にする。そして、Ｔ３でモーター２０１が正転し、カム上面部２０４ａ、２０４ｂからコロ２１１ａ、２１１ｂが落ちる状態になるまでシャッターカム２０４を回転させＴ４でモーター２０１が停止する。その後、Ｔ５で先幕の電磁石２０８ａの通電が切られ吸着機構の吸着が解除され、先幕シャッター羽根２０７ａが走行しシャッター開口２１２ａが開の状態となる。
【００４３】
次にＴ６においてモーター２０１が逆転し、上述したように伝達切替え部の動作が行われ、Ｔ７でファン２２１の駆動が開始し、Ｔ８でスリット蓋２２２が開の状態となる。そして、Ｔ９において撮像素子２５の動画撮影の駆動が開始される。
【００４４】
動画撮影中に撮影者によりレリーズ釦が押され、静止画撮影の命令がカメラシステム制御部２１に送られると、動画撮影動作を終了し静止画撮影を行う。まず、Ｔ１０で撮像素子２５の動画撮影の駆動を終了し、モーター２０１の回転を止めて、ファン２２１の回転も停止させる。そして、Ｔ１１において撮像素子２５の画像読み込みのリセット動作を最初に行った後、静止画撮影の露光駆動を行う。そして、Ｔ１２において電磁石２０９ｂの通電を切り後幕吸着機構の吸着を解除させることで、後幕シャッター羽根２０７ｂを走行させてシャッター開口２１２ａでの遮光を行う。Ｔ１２において後幕シャッター羽根２０７ｂが走行したのちＴ１３で撮像素子２５の静止画撮影の駆動を終了する。このＴ１１からＴ１３までの動作が動画撮影中に静止画撮影命令を受けた場合の静止画撮影動作にあたり、先幕シャッター羽根２０７ａの動作を撮像素子２５のリセット動作で代用する、いわゆる電子先幕シャッターにより静止画撮影を行っている。
【００４５】
Ｔ１３では撮像素子２５の駆動を終了させるとともに、モーター２０１の正転を開始し、伝達切替え部４３のファン駆動部からシャッターチャージ部への切替え動作を行う。Ｔ１４でスリット蓋２２２を閉じた後、Ｔ１５で遊星ギア２０２ｄがギア２０２ｅと噛合しシャッターカム２０４が回転される。シャッターカム２０４の回転により、カム上面部２０４ａ、２０４ｂにコロ２１１ａ、２１１ｂが乗り上げることでチャージレバー２０５がチャージされ、シャッター羽根２０７ａ、２０７ｂがそれぞれ上面側に移動する。その結果、先幕シャッター羽根２０７ａは閉の状態に、後幕シャッター羽根２０７ｂは開の状態になる。そしてＴ１６でモーター２０１の回転を止めて撮影動作の１サイクルを終了する。
【００４６】
なお、動画撮影中に静止画撮影の撮影命令が行われなかった場合は、Ｔ１１からＴ１４の動作が省略される。
【００４７】
次に、図６を用いて動画撮影モードでの撮影動作のフローについて説明する。
【００４８】
図６は動画撮影モードにおける伝達切替え４６部の動作を含むフローチャートである。
【００４９】
まず、動画撮影モードに設定されるとフローが開始される。動画撮影モード開始時、各機構は図５のタイミングチャートにおけるＴ１と同じ状態である。
【００５０】
Ｓ１００１では、先幕及び後幕電磁石２０８ａ、ｂの通電が開始され、各吸着機構が吸着状態になる。
【００５１】
次に、Ｓ１００２でモーター２０１が正転し、シャッターカム２０４を回転させカム上面部２０４ａ、２０４ｂからそれぞれのコロ２１１ａ、２１１ｂが落ちた状態とする。
【００５２】
Ｓ１００３で先幕電磁石２０８ａの通電を切り、先幕シャッター羽根２０７ａを走行させて、シャッター開口２１２ａを開状態にする。
【００５３】
次に、Ｓ１００４でモーター２０１を逆回転し、Ｓ１００５で遊星ギア２０２ｄをギア２０２ｉと噛合させてファンの駆動を開始し、Ｓ１００６でスリット蓋２２２を開の状態にする。
【００５４】
Ｓ１００７において、操作部４３を介して動画撮影の命令が下されたと判断するとＳ１００８に進み、命令が下されていない場合はＳ１０１９に進む。
【００５５】
Ｓ１００８において動画撮影の撮像素子２５の駆動が開始される。
【００５６】
Ｓ１００９において、操作部４３である不図示のレリーズ釦が押下され静止画撮影命令が下されたと判断するとステップＳ１０１０に進み静止画撮影が行われ、異なる場合はＳ１０１７に進む。
【００５７】
Ｓ１０１０ではモーター２０１の回転を停止することでファン２２１の回転が停止し、撮像素子２５の動画撮影の駆動が停止される。
【００５８】
次に、Ｓ１０１１で電子先幕シャッターの動作である撮像素子２５の画像読み込みのリセット動作を行い、Ｓ１０１２では後幕電磁石２０８ｂの通電を切り、後幕シャッター羽根を走行させて静止画撮影を行う。そして、Ｓ１０１３でモーター２０１を正転させて、Ｓ１０１４でスリット蓋を閉状態にし、Ｓ１０１５でシャッターカム２０４を回転させる。シャッターカム２０４によりチャージレバー２０５ａ、２０５ｂをチャージ状態にした後、Ｓ１０１６でモーター２０１を停止させてフローを終了する。
【００５９】
一方、静止画撮影命令が下されていないと判断すると、ステップＳ１０１７に進み、動画撮影停止の命令が下るまでステップＳ１００９に戻りフローを繰り返す。Ｓ１０１７で動画撮影の停止命令が下されると、Ｓ１０１８に進み撮像素子２５の駆動を停止させる。そして、Ｓ１０１９ではその他の撮影モードへの切替え、カメラの電源のオフなどの動画撮影モードの停止命令を判断する。動画撮影モード停止の場合は、ステップＳ１０２０に進み、モーター２０１の回転を停止することでファン２２１の回転が停止し、撮像素子２５の動画撮影の駆動が停止する。そして、Ｓ１０１２以降の動作を行ってフローを終了する。Ｓ１０１９で停止命令が判断されない場合はＳ１００７に戻ってフローを繰り返す。
【００６０】
以上述べたように、本発明では一つのモーターの回転伝達を伝達切替え手段を用いてシャッターチャージ部とファン駆動部に切替えることで、簡易な構成で動画撮影時の撮像装置内の温度上昇を抑制している。なお、図６のフローでは動画撮影中に静止画撮影命令が下った場合、静止画撮影を行った後、動画撮影も終了したが、引き続き動画撮影を行ってもよい。その場合、ステップＳ１００６からＳ１００１に戻り、Ｓ１００８までのステップが行われる。
【００６１】
なお、本実施例では、静止画撮影の際は先幕シャッター羽根２０７ａ、後幕シャッター羽根２０７ｂの順で走行させて露光時間の制御を行ったが、静止画撮影の際も電子先幕の構成をとっても良い。
【００６２】
また、伝達切替えを行う際に外装に設けたスリットのスリット蓋の開閉を行うことで、ファン２２１駆動中はカメラボディ２外部との空気の交換を行い、温度上昇抑制の効果を高めつつも、ファン２２１停止時はカメラボディ２内に塵が入ることを防いでいる。また、図５のタイミングチャートを用いて述べたように、動画撮影が開始される前にスリット蓋２２２を開状態にし、ファン２２１駆動を開始している。これにより、スリット蓋２２２をスライドさせる際に発生する摺動音や衝突音、遊星ギア２０２ｄがファン駆動ギア２０２ｈと当接する瞬間の衝突音、ファン２２１駆動開始時の不安定な駆動音等の雑音が動画の音声に混入することを防いでいる。
【００６３】
また、スリット蓋２２２ａ及びギア同士の当接の瞬間の衝突音による雑音の混入を防ぐ手段として、遊星ギアアーム２０３の回転位置を検出する位置検出手段と動画撮影開始の許可を行う動画開始制御手段設けてもよい。位置検出手段により遊星ギアアーム２０３が遊星ギア２０２ｄとギア２０２ｉが噛合する位置にあると検出されてから、動画開始制御手段により動画撮影開始の許可が下される。動画撮影モードに切り替わった際に、遊星ギア２０２ｄとファン駆動ギア２０２ｈが当接するまで、モーター２０１の逆回転を一定時間行うといった時間で制御するよりも、素早く動画撮影の開始を行うことができる。
【００６４】
また、温度検出手段を有しておき、動画撮影モードにおいて遊星ギア２０２ｄとギア２０２ｉが噛合している状態において、撮像装置内の温度が所定以下の場合はモーターの逆転をせずにファン２２１を回転させないように制御してもよい。ファン２０１は回転駆動することで駆動音が生じるが、温度上昇の抑制が必要な所定以上の温度のときのみファン２２１を駆動させることで、撮影時の静穏化および撮影動画音声への雑音の混入を低減することができる。また、温度検出手段を備えていない場合でも、動画撮影の駆動時間から撮像装置内の温度を推定して、例えば動画撮影開始から所定時間が過ぎたらファン２２１を駆動させるような制御をおこなってもよい。
【００６５】
本実施例では、モーター２０１の回転のシャッターチャージ側又はファン駆動側への伝達切替えを、太陽ギア２０２ｃ、遊星ギア２０２ｄにより遊星ギアアーム２０３が回転移動することで行ったが、次のように伝達を切替えてもよい。図７はその他の伝達切替え手段を有する場合の撮像装置の、伝達切替え手段周りの構成を説明する模式図である。図７（ａ）は伝達切替え部周りの斜視図を、図７（ｂ）は遊星ギア２０２ｄがギア２０２ｅと噛合している状態の正面図を、図７（ｃ）は遊星ギア２０２ｄがファン駆動ギア２０２ｈと噛合している状態の正面図を示している。
【００６６】
図７（ｂ）（ｃ）ではスリット蓋２２２は操作者によって切替えられる撮影モード切替えスイッチを兼ねており、図１の構成とは異なり遊星ギアアーム２０３はスリット蓋２２２を開閉するための開閉ダボ２０３ｃを有し、遊星ギア２０２ｄはギア２０２ｉを介さずに、直接ファン駆動ギア２０２ｈと噛合するスリット蓋２２２の外装３３側にスイッチ導通部２２２ｄが配され、外装３３には検出部２２３を配される。また、スリット蓋２２２は切替え溝部２２２ｃを有している。切替え溝部２２２ｃは遊星ギアアーム２０３の開閉ダボ２０３ａを挟み込んで係合されており、開閉ダボ２０３ａは切替え溝部２２２ｃに沿って移動可能である。
【００６７】
図７（ｂ）の状態から、操作者によりスリット蓋２２２が矢印５４方向に移動させられると、開閉ダボ２０３ａが切替え溝部２２２ｃに沿って移動することで遊星ギア２０２ｄおよび遊星ギアアーム２０３は矢印５５方向に回転を始める。そしてスリット蓋２２２の移動が完了すると、図７（ｃ）に示すように遊星ギア２０２ｄはファン駆動ギア２０２ｈと当接し噛合する。そして、検出部２２３とスイッチ導通部２２２ｄが接触し導通すると、その状態が不図示の電気回路で検出され、撮影モードが静止画撮影モードから動画撮影モードに切り替わる。この動画撮影モードの状態で操作部４３により動画撮影命令が下されると、モーター２０１が回転しファン２２１が駆動され、続いて撮像素子２５が動画撮影用の駆動を開始する。なお、この構成においてはモーター２０１の回転は正転でも逆転でもファン２２１を駆動することが可能であり、回転方向はファン２２１により対流させたい流路方向によって決められる。さらに、スリット蓋２２２が撮影モード切替えスイッチを兼ねているので、図７（ｃ）の状態では、外装３３に設けられたスリット部３３ａとスリット蓋２２２の開口部２２２ｂが一致し、スリット部３３ａが開いた状態となる。その結果、カメラボディ２の内外で空気の循環を行うことができ、ボディ２内の温度上昇抑制を効果を高めることができる。
【００６８】
以上述べたようにその他の構成では、撮影モード切替えスイッチを有し、伝達切替え手段が撮影モード切替えスイッチと連結されて、撮影モード切替えスイッチの動作に連動してモーター２０１の回転の伝達切替えている。さらに、撮影モード切替えスイッチがスリット蓋を兼ねている。このように伝達切替え部を構成しても、アクチュエータなどの部品数を増やさずに、動画撮影時にファン２２１を駆動させてカメラ内の温度上昇を抑制することができる。
【００６９】
本発明は静止画撮影及び動画撮影機能を有するカメラ及びそれらにより構成されるカメラシステムに有用である．
【符号の説明】
【００７０】
１  撮影レンズ、２  カメラボディ、１１  撮影光学系、
１２  レンズシステム制御部、２１  カメラシステム制御部、
２４  シャッターユニット、２５  撮像素子、３３  外装、３３ａ  スリット部、
２０１  モーター、２０２  ギアユニット、２０２ｃ  太陽ギア、
２０２ｄ  遊星ギア、２０２ｈ  ファン駆動ギア、２０２ｊ  クラッチギア、
２０３  遊星ギアアーム、２０４  シャッターカム、
２０４ａ，２０４ｂ  カム上面部、２０５  チャージレバー、
２０７  シャッター羽根、２０８  電磁石、２０９  吸着体、
２１０  チャージばね、２１１  コロ、２１２  シャッター地板、
２２１  ファン、２２２  スリット蓋、２２２ａ  ラック部
【図１】
2019074576.tif 000003
【図２】
2019074576.tif 000004
【図３】
2019074576.tif 000005
【図４】
2019074576.tif 000006
【図５】
2019074576.tif 000007
【図６】
2019074576.tif 000008
【図７】
2019074576.tif 000009